(57)【特許請求の範囲】
【請求項１】
窓ガラス(24)を保持するための窓ガラス保持溝(4)を有し、且つ上方側端部が前記窓ガラス(24)の内側をシールするインナーウェザーストリップ(5)の上方側端部によりオーバラップされるようにサッシュレスドア(21,22)の上隅部に装着されて内側ドアパネル(2)に取り付けられるドアトリム(3)によりその室内側表面が覆われるドアウェザーストリップ(1)において、
前記ドアウェザーストリップ(1)が、前記ドアトリム(3)の縦壁内面(3A)に対向する前記室内側表面に突起(10)を突設して成ることを特徴とするドアウェザーストリップ。
【発明の詳細な説明】
【０００１】
【発明の属する技術分野】
本発明は、自動車のサッシュレスドアの上隅部に装着されるドアウェザーストリップに関する。
【０００２】
【従来の技術】
従来から自動車のサッシュレスドアの上隅部に装着されるドアウェザーストリップに関しては種々なものが知られている。図８に示すように従来のドアウェザーストリップ３０はゴム等の弾性体からなり、自動車の前部のサッシュレスドア２１および後部のサッシュレスドア２２の上隅部に装着される。
一般に、ウェザーストリップはサッシュレスドア２１，２２とボデー２３及び窓ガラス２４とルーフ２５との間のシール性を確保するもので、ドアとボデーとの間に装着されるドアウェザーストリップ２６及び窓ガラスとルーフとの間に装着されるルーフウェザーストリップ２７のように直線状又はゆるいカーブ状のウェザーストリップは押出し成形によって形成される。
【０００３】
また、サッシュレスドア２１，２２の上隅部のように殆ど直角に近い部分には成形型で成形されたドアウェザーストリップ３０が使用される。この型成形によるドアウェザーストリップ３０と押出し成形によるドアウェザーストリップ２６とは例えば接着剤等で接続される。または、押出し成形によるドアウェザーストリップ２６へ型成形によるドアウェザーストリップ３０を型成形すると同時に加硫接着される。
なお、ドアウェザーストリップ３０の内、注目円Ｅで囲った後部のサッシュレスドア２２の後部上隅部に装着されるドアウェザーストリップが作動上の顕著な課題を有しているので別符号を付けて論ずることにする。
【０００４】
図４及び図５に示すように自動車の後部サッシュレスドアの後部の上隅部に装着される従来のドアウェザーストリップ３１は、内側ドアパネル１２にクリップ等で取り付けられた縦壁１３Ａを有するドアトリム１３で覆われている。また、スライドする窓ガラス２４を保持するための窓ガラス保持溝１４が外側に設けられていると共に、窓ガラス２４の内側のシール性を確保するためのインナーウェザーストリップ１５がドアウェザーストリップ３１の上部の前端部にオーバラップするように接続されている。
また、ドアウェザーストリップ３１の上部及び後部の内側には図示されていない内側ドアパネル係止溝が設けられており、ドアウェザーストリップ３１が内側ドアパネル１２に係止されるようになっている。なお、ドアウェザーストリップ３１の下部及び後部の内側ドアパネル１２には図示されていないクリップで止めるためのクリップ穴１６が設けられている。
【０００５】
前記構成のドアウェザーストリップ３１が、内側ドアパネル１２に前記内側ドアパネル係止溝で係止された後、クリップ穴１６にクリップが挿入されて内側パネル１２に固定される。そして、インナーウェザーストリップ１５がドアウェザーストリップ３１上部前端にオーバラップされるように装着された後、箱蓋状のドアトリム１３が縦壁１３Ａをドアウェザーストリップ３１の内側に当接させた状態でクリップ等により内側ドアパネル１２に固定される。
【０００６】
【発明が解決しようとする課題】
しかしながら、上記従来のドアウェザーストリップ３１においては、繰り返し窓ガラス２４が開閉されると図６及び図７に示したようにドアウェザーストリップ３１の上部はクリップ穴１６を中心に後方へ間隔Ｄだけずれるという不具合が生ずる。すると、ドアウェザーストリップ３１の上部前端はインナーウェザーストリップ１５から間隔Ｄだけ離れると共に、窓ガラス保持溝１４の後端も窓ガラス２４の後端から間隔Ｄだけ離れることになりシール性が低下してしまうという問題がある。
また、窓ガラス保持溝１４の後端が窓ガラス２４の後端から間隔Ｄだけ離れると、図８から理解されるように、後部のサッシュレスドア２２の開閉に伴ってドアウェザーストリップ３１後端の上部とルーフウェザーストリップ２７の後端部とのラップ度合いが高まり、ウェザーストリップが摩耗してシール性が低下するという問題がある。
【０００７】
本発明の目的は、上記課題に鑑みてなされたものであり、サッシュレスドアの窓ガラスが繰り返し開閉されても位置ずれすることがなくシール性が確保されるドアウェザーストリップを提供することにある。
【０００８】
【課題を解決するための手段】
上記課題は、窓ガラスを保持するための窓ガラス保持溝を有し、且つ上方側端部が前記窓ガラスの内側をシールするインナーウェザーストリップ上方側端部によりオーバラップされるようにサッシュレスドアの上隅部に装着されて内側ドアパネルに取り付けられるドアトリムによりその室内側表面が覆われるドアウェザーストリップにおいて、前記ドアウェザーストリップが、前記ドアトリムの縦壁内面に対向する前記室内側表面に突起)を突設して成ることを特徴とするドアウェザーストリップによって解決することができる。
【０００９】
上記構成のドアウェザーストリップによると、前記ドアトリムの前記縦壁内面の一部に当接する前記突起が前記室内側表面に設けられているので、前記サッシュレスドアの前記窓ガラスが繰り返し開閉されても前記突起が前記ドアトリムの前記縦壁内面に当接して位置ずれが阻止される。従って、前記ドアウェザーストリップの位置ずれによるシール性の低下を防止することができると共に、他部品とのラップ度合いを保ち、摩耗等の心配がないので信頼性の高い前記ドアウェザーストリップを得ることができる。
【００１０】
【発明の実施の形態】
以下、本発明の実施の形態例を図１乃至図３に基づいて詳細に説明する。図１は本発明のドアウェザーストリップのドア取り付け状態を示す部分斜視図、図２は図１におけるＣーＣ断面図、図３は図１におけるドアウェザーストリップの形状を示す斜視図である。
【００１１】
図１に示すようにドアウェザーストリップ１は、図８に示したサッシュレスドア２２後端の上隅部に装着され、内側ドアパネル２にクリップ等で取り付けられたドアトリム３で覆われる。また、斜め上下方向にスライドする窓ガラス２４を保持するための窓ガラス保持溝４が設けられていると共に、窓ガラス２４の内側のシール性を向上するためにインナーウェザーストリップ５がドアウェザーストリップ１の上部前端にオーバラップされるように当接されている。
【００１２】
また、ドアウェザーストリップ１の上部及び後部の内側には図示されない内側ドアパネル係止溝が設けられており、ドアウェザーストリップ１が内側ドアパネル２に係止される。なお、ドアウェザーストリップ１下部の内側及び後部には内側ドアパネル２に図示されないクリップで止めるためのクリップ穴６が設けられている。さらに、図２及び図３に示すようにドアトリム３の縦壁内面３Ａの一部に沿う形状の突起１０がドアウェザーストリップ１の室内側表面に一体成形または接着剤等で貼り付けられている。
【００１３】
上述した構成のドアウェザーストリップ１が、内側ドアパネル２に内側ドアパネル係止溝で係止された後、クリップ穴６にクリップが挿入されて内側パネル２に固定される。そして、インナーウェザーストリップ５がドアウェザーストリップ１上部の前端にオーバラップするように装着された後、箱蓋状のドアトリム３がドアウェザーストリップ１の室内側表面に被せられてクリップ等で内側ドアパネル２に固定される。このとき、ドアウェザーストリップ１の室内側表面に設けられた突起１０がドアトリム３の縦壁内面３Ａの内面に当接されている。
【００１４】
上述したように本実施の形態例のドアウェザーストリップ１によると、ドアトリム３の縦壁内面３Ａの一部に沿う形状の突起１０が設けられているので、サッシュレスドアの窓ガラス２４が繰り返し開閉されても突起１０がストッパとなってドアウェザーストリップ１自体が位置ずれするのを防止することができる。従って、ドアウェザーストリップ１のシール性が損なわれることはなく、かつルーフウェザーストリップの後端に対してラップ度合いが増して摩耗する心配がないので、信頼性の高いドアウェザーストリップを得ることができる。さらに、突起１０をドアウェザーストリップ１側に設けるだけでドアウェザーストリップ自体の位置ずれが防止できるため信頼性の高いドアウェザーストリップを安価に得ることができる。
【００１５】
なお、本発明のドアウェザーストリップは上述した実施の形態例に限定されるものでなく、適宜な変更を行うことにより他の態様でも実施することができる。例えば、本実施の形態例においては後部のサッシュレスドア後端の上隅部に装着されるドアウェザーストリップについて述べたが、前部のサッシュレスドア前後の上隅部や後部のサッシュレスドア前端の上隅部に装着されるドアウェザーストリップに適用しても十分な効果を得ることができる。
【００１６】
【発明の効果】
以上説明したように本発明のドアウェザーストリップによれば、ドアトリムの縦壁内面の一部に当接する突起が室内側表面に設けられているので、サッシュレスドアの窓ガラスが繰り返し開閉されても位置ずれすることはない。従って、シール性が損なわれず、かつ他部品とのラップ度合いの増加による摩耗等の心配がないので、信頼性の高いドアウェザーストリップを得ることができる。また、突起物をドアウェザーストリップ側に設けるだけで位置ずれを防止することができるので高い信頼性と共に安価なドアウェザーストリップを得ることができる。
【図面の簡単な説明】
【図１】本発明のドアウェザーストリップのドア取り付け状態を示す部分斜視図である。
【図２】図１におけるＣーＣ断面図である。
【図３】図１におけるドアウェザーストリップの形状を示す斜視図である。
【図４】従来のドアウェザーストリップのドア取り付け状態を示す部分斜視図である。
【図５】図４におけるＡーＡ断面図である。
【図６】図４における作動説明図である。
【図７】図６におけるＢ−Ｂ断面図である。
【図８】従来及び本発明のドアウェザーストリップの取り付け位置を示す概略説明図である。
【符号の説明】
１    ドアウェザーストリップ
２    内側ドアパネル
３    ドアトリム
３Ａ  縦壁
４    窓ガラス保持溝
５    インナーウェザーストリップ
６    クリップ穴
１０    突起
２４    窓ガラス
【図１】
0003642502.tif 000002
【図２】
0003642502.tif 000003
【図３】
0003642502.tif 000004
【図４】
0003642502.tif 000005
【図５】
0003642502.tif 000006
【図６】
0003642502.tif 000007
【図７】
0003642502.tif 000008
【図８】
0003642502.tif 000009